(57)【要約】【課題】ユーザのプライバシーに配慮したＩＣタグによる設備利用を可能とする。【解決手段】会場入場時に、ユーザが携帯するＩＣタグ１０に予め記録されたユーザＩＤにより会場入場の認証を行い入場料金の決済を行うとともに、全ての会場入場ユーザおよび全ての設備に共通に使用可能な共通認証番号をＩＣタグ１０に書き込み、会場内の各設備への入場時に、ＩＣタグ１０に記録された共通認証番号により設備入場の認証を行う。また、会場入場時または設備入場時の認証後に、会場入場ゲート装置２０または設備利用認証装置４０の入場用ゲートを開きユーザの入場を許可する。【選択図】      図１
2005346345.tif 000002
【特許請求の範囲】
【請求項１】
ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたＩＣタグを用いた入場システムであって、
前記ＩＣタグは、ユーザＩＤが記録された第１の記憶手段と、全ての会場入場ユーザおよび全ての設備に共通に設定された共通認証番号が記録される第２の記憶手段とを有し、
前記会場入場ゲート装置は、前記ＩＣタグとの間で情報の読み取り，書き込みを非接触で行う非接触ＩＣリーダライタと、第１の共通認証番号記憶部と、会場入場ゲートとを備え、前記入場管理サーバから受信した共通認証番号を前記第１の共通認証番号記憶部に記憶する手段と、前記ＩＣタグからユーザＩＤを読み取り前記入場管理サーバに送信する手段と、前記入場管理サーバから共通認証番号書き込み許可情報を受信し、前記第１の共通認証番号記憶部に記憶された共通認証番号を前記ＩＣタグに書き込む手段と、前記ＩＣタグへの共通認証番号書き込み後に前記会場入場ゲートを開く手段とを有し、
前記設備利用認証装置は、前記ＩＣタグから非接触で情報を読み取る非接触ＩＣリーダと、第２の共通認証番号記憶部と、設備入場ゲートとを備え、前記入場管理サーバから受信した共通認証番号を前記第２の共通認証番号記憶部に記憶する手段と、前記ＩＣタグから共通認証番号を読み取り前記第２の共通認証番号記憶部に記憶された共通認証番号と照合する手段と、前記照合の結果、両者が一致した場合に前記設備入場ゲートを開く手段とを有し、
前記入場管理サーバは、定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段とを有することを特徴とするＩＣタグを用いた入場システム。
【請求項２】
インターネットを介して前記入場管理サーバに接続される金融機関サーバをさらに備え、前記入場管理サーバは前記ユーザＩＤ認証後に入場料金の決済を前記金融機関サーバに依頼する手段を、さらに有することを特徴とする請求項１記載のＩＣタグを用いた入場システム。
【請求項３】
インターネットを介して前記入場管理サーバに接続される金融機関サーバをさらに備え、前記入場管理サーバは、来場回数に応じた入場料金が予め登録されたデータベースを備え、ユーザ毎の来場履歴情報を登録する手段と、前記ユーザＩＤ認証後に前記来場履歴情報および前記データベースを参照し来場回数に応じた入場料金を取得する手段と、取得した入場料金の決済を前記金融機関サーバに依頼する手段とを、さらに有することを特徴とする請求項１記載のＩＣタグを用いた入場システム。
【請求項４】
前記設備利用認証装置は、前記ＩＣタグから受信した共通認証番号の認証後に利用日時情報と設備ＩＤを前記入場管理サーバに送信する手段をさらに有し、前記入場管理サーバは、前記設備利用認証装置から受信した利用日時情報を設備ＩＤ別に登録する手段をさらに有することを特徴とする請求項１，２または３記載のＩＣタグを用いた入場システム。
【請求項５】
前記ＩＣタグは、携帯電話機，ＰＨＳ，ＰＤＡ，ノートパソコン，腕時計を含むユーザ携帯物品に取り付けられていることを特徴とする請求項１，２，３または４記載のＩＣタグを用いた入場システム。
【請求項６】
会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段とを有することを特徴とする入場管理サーバ。
【請求項７】
会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段と、ユーザＩＤ認証後に入場料金の決済を外部金融機関サーバに依頼する手段と、前記設備利用認証装置から受信した利用日時情報を設備ＩＤ別に登録する手段とを有することを特徴とする入場管理サーバ。
【請求項８】
会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段と、来場回数に応じた入場料金を予めデータベースに登録する手段と、ユーザ毎の来場履歴情報を登録する手段と、ユーザＩＤ認証後に前記来場履歴情報および前記データベースを参照し来場回数に応じた入場料金を取得する手段と、取得した入場料金の決済を外部金融機関サーバに依頼する手段と、前記設備利用認証装置から受信した利用日時情報を設備ＩＤ別に登録する手段とを有することを特徴とする入場管理サーバ。
【請求項９】
会場入場時に、ユーザが携帯するＩＣタグに予め記録されたユーザＩＤにより会場入場の認証を行うとともに、全ての会場入場ユーザおよび全ての設備に共通に使用可能な共通認証番号を前記ＩＣタグに書き込み、会場内の各設備への入場時に、前記ＩＣタグに記録された共通認証番号により設備入場の認証を行うことを特徴とするＩＣタグを用いた入場方法。
【請求項１０】
ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップとを有することを特徴とするＩＣタグを用いた入場方法。
【請求項１１】
ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、前記入場管理サーバが共通認証番号書き込み許可情報送信後に入場料金の決済を外部金融機関サーバに依頼するステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップと、前記設備利用認証装置がユーザの利用日時と設備ＩＤを前記入場管理サーバに送信するステップと、前記入場管理サーバが前記設備利用認証装置から受信した利用日時を設備ＩＤ別に登録するステップとを有することを特徴とするＩＣタグを用いた入場方法。
【請求項１２】
ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、前記入場管理サーバが共通認証番号書き込み許可情報送信後にユーザＩＤ対応の来場回数を取得するステップと、前記入場管理サーバが来場回数に応じた入場料金を取得するステップと、取得した入場料金の決済を外部金融機関サーバに依頼するステップと、ユーザＩＤ対応に来場日時と来場回数をユーザ別来場履歴として登録するステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップと、前記設備利用認証装置がユーザの利用日時と設備ＩＤを前記入場管理サーバに送信するステップと、前記入場管理サーバが前記設備利用認証装置から受信した利用日時を設備ＩＤ別に登録するステップとを有することを特徴とするＩＣタグを用いた入場方法。
【請求項１３】
会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、をコンピュータに実現させるためのプログラム。
【請求項１４】
会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、ユーザＩＤ認証後に入場料金の決済を外部金融機関サーバに依頼する機能、前記設備利用認証装置から受信した利用日時情報を設備ＩＤ別に登録する機能、をコンピュータに実現させるためのプログラム。
【請求項１５】
会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、来場回数に応じた入場料金を予めデータベースに登録する機能、ユーザ毎の来場履歴情報を登録する機能、ユーザＩＤ認証後に前記来場履歴情報および前記データベースを参照し来場回数に応じた入場料金を取得する機能、取得した入場料金の決済を外部金融機関サーバに依頼する機能、前記設備利用認証装置から受信した利用日時情報を設備ＩＤ別に登録する機能、をコンピュータに実現させるためのプログラム。
【発明の詳細な説明】
【技術分野】
【０００１】
本発明は、ＩＣタグを用いた入場システム，方法，入場管理サーバおよびプログラムに関し、特に会場入場時や会場内各設備の利用時におけるＩＣタグを用いた入場システム，方法，入場管理サーバおよびプログラムに関する。
【背景技術】
【０００２】
イベント等の会場においてＩＣタグを用いて入場管理を行う従来の方法は、例えば、特開２００３−５８６１９号公報（特許文献１）に開示されている。
【０００３】
この特許文献１においては、会場入場者が携帯するＩＣタグに格納された個人識別子を、会場内の各ブースに設置されたＩＣタグリーダライタが読み取ることで、入場受付を自動化している。また、読み取られた個人識別子は入場したブースのブース識別子や入場日時情報とともに、会場内情報管理データベースに記録される。なお、個人識別子は個人を一意に識別可能なものであり、この個人識別子に対応付けて個人情報が予め個人情報データベースに登録されている。
【０００４】
【特許文献１】特開２００３−５８６１９号公報（段落「００３７」〜「００３９」、図１、図５）
【発明の開示】
【発明が解決しようとする課題】
【０００５】
上述した特許文献１に記載の発明においては、入場者の個人識別子が入場したブースのブース識別子に対応して記録されるため、各ブースの運営業者に入場者の個人情報が分かってしまうことになる。このため、後日電話やダイレクトメール等による勧誘や宣伝が入場者に対して頻繁に行われることもあり、こうした行為を迷惑と感じる入場者にとっては問題であった。また、どこのブースを利用したかの記録が残るため、入場者としては個人情報を出さずに、すなわちプライバシーを守りながら各ブースに入場するということができないという問題がある。
【０００６】
また、特許文献１に記載の発明は招待イベントを対象にしているため入場料は無料であるが、入場料が必要なイベント等においては入場料の自動決済をＩＣタグを用いて行えることが望ましい。
【０００７】
本発明は、以上の問題の少なくともいずれかを解決するＩＣタグを用いた入場システム，方法，サーバおよびプログラムを提供することを目的とする。
【課題を解決するための手段】
【０００８】
本発明の第１のＩＣタグを用いた入場システムは、ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたＩＣタグを用いた入場システムであって、
前記ＩＣタグは、ユーザＩＤが記録された第１の記憶手段と、全ての会場入場ユーザおよび全ての設備に共通に設定された共通認証番号が記録される第２の記憶手段とを有し、
前記会場入場ゲート装置は、前記ＩＣタグとの間で情報の読み取り，書き込みを非接触で行う非接触ＩＣリーダライタと、第１の共通認証番号記憶部と、会場入場ゲートとを備え、前記入場管理サーバから受信した共通認証番号を前記第１の共通認証番号記憶部に記憶する手段と、前記ＩＣタグからユーザＩＤを読み取り前記入場管理サーバに送信する手段と、前記入場管理サーバから共通認証番号書き込み許可情報を受信し、前記第１の共通認証番号記憶部に記憶された共通認証番号を前記ＩＣタグに書き込む手段と、前記ＩＣタグへの共通認証番号書き込み後に前記会場入場ゲートを開く手段とを有し、
前記設備利用認証装置は、前記ＩＣタグから非接触で情報を読み取る非接触ＩＣリーダと、第２の共通認証番号記憶部と、設備入場ゲートとを備え、前記入場管理サーバから受信した共通認証番号を前記第２の共通認証番号記憶部に記憶する手段と、前記ＩＣタグから共通認証番号を読み取り前記第２の共通認証番号記憶部に記憶された共通認証番号と照合する手段と、前記照合の結果、両者が一致した場合に前記設備入場ゲートを開く手段とを有し、
前記入場管理サーバは、定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段とを有する。
【０００９】
本発明の第２のＩＣタグを用いた入場システムは、本発明の第１のＩＣタグを用いた入場システムにおいて、インターネットを介して前記入場管理サーバに接続される金融機関サーバをさらに備え、前記入場管理サーバは前記ユーザＩＤ認証後に入場料金の決済を前記金融機関サーバに依頼する手段を、さらに有する。
【００１０】
本発明の第３のＩＣタグを用いた入場システムは、本発明の第１のＩＣタグを用いた入場システムにおいて、インターネットを介して前記入場管理サーバに接続される金融機関サーバをさらに備え、前記入場管理サーバは、来場回数に応じた入場料金が予め登録されたデータベースを備え、ユーザ毎の来場履歴情報を登録する手段と、前記ユーザＩＤ認証後に前記来場履歴情報および前記データベースを参照し来場回数に応じた入場料金を取得する手段と、取得した入場料金の決済を前記金融機関サーバに依頼する手段とを、さらに有する。
【００１１】
本発明の第４のＩＣタグを用いた入場システムは、本発明の第１，第２または第３のＩＣタグを用いた入場システムにおいて、前記設備利用認証装置は、前記ＩＣタグから受信した共通認証番号の認証後に利用日時情報と設備ＩＤを前記入場管理サーバに送信する手段をさらに有し、前記入場管理サーバは、前記設備利用認証装置から受信した利用日時情報を設備ＩＤ別に登録する手段をさらに有する。
【００１２】
本発明の第５のＩＣタグを用いた入場システムは、本発明の第１，第２，第３または第４のＩＣタグを用いた入場システムにおいて、前記ＩＣタグは、携帯電話機，ＰＨＳ，ＰＤＡ，ノートパソコン，腕時計を含むユーザ携帯物品に取り付けられていることを特徴とする。
【００１３】
本発明の第１の入場管理サーバは、会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段とを有する。
【００１４】
本発明の第２の入場管理サーバは、会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段と、ユーザＩＤ認証後に入場料金の決済を外部金融機関サーバに依頼する手段と、前記設備利用認証装置から受信した利用日時情報を設備ＩＤ別に登録する手段とを有する。
【００１５】
本発明の第３の入場管理サーバは、会場入場ゲート装置および会場内の各設備に設けられた設備利用認証装置とネットワークを介して接続される入場管理サーバであって、
定期的に共通認証番号を生成し前記会場入場ゲート装置および前記設備利用認証装置に配信する手段と、前記会場入場ゲート装置から受信したユーザＩＤを認証する手段と、ユーザＩＤが認証された場合に共通認証番号の書き込み許可情報を前記会場入場ゲート装置に送信する手段と、来場回数に応じた入場料金を予めデータベースに登録する手段と、ユーザ毎の来場履歴情報を登録する手段と、ユーザＩＤ認証後に前記来場履歴情報および前記データベースを参照し来場回数に応じた入場料金を取得する手段と、取得した入場料金の決済を外部金融機関サーバに依頼する手段と、前記設備利用認証装置から受信した利用日時情報を設備ＩＤ別に登録する手段とを有する。
【００１６】
本発明の第１のＩＣタグを用いた入場方法は、会場入場時に、ユーザが携帯するＩＣタグに予め記録されたユーザＩＤにより会場入場の認証を行い入場料金の決済を行うとともに、全ての会場入場ユーザおよび全ての設備に共通に使用可能な共通認証番号を前記ＩＣタグに書き込み、会場内の各設備への入場時に、前記ＩＣタグに記録された共通認証番号により設備入場の認証を行うことを特徴とする。
【００１７】
本発明の第２のＩＣタグを用いた入場方法は、ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップとを有する。
【００１８】
本発明の第３のＩＣタグを用いた入場方法は、ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、前記入場管理サーバが共通認証番号書き込み許可情報送信後に入場料金の決済を外部金融機関サーバに依頼するステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップと、前記設備利用認証装置がユーザの利用日時と設備ＩＤを前記入場管理サーバに送信するステップと、前記入場管理サーバが前記設備利用認証装置から受信した利用日時を設備ＩＤ別に登録するステップとを有する。
【００１９】
本発明の第４のＩＣタグを用いた入場方法は、ユーザが携帯するＩＣタグと、会場入場ゲート装置と、会場内の各設備に設けられた設備利用認証装置と、前記会場入場ゲート装置，前記設備利用認証装置とネットワークを介して接続される入場管理サーバとを備えたシステムにおけるＩＣタグを用いた入場方法であって、
前記入場管理サーバが定期的に共通認証番号を生成して前記会場入場ゲート装置および前記設備利用認証装置に配信し両装置が共通認証番号を記憶するステップと、ユーザの会場入場時に、前記会場入場ゲート装置が前記ＩＣタグからユーザＩＤを読み取り前記入場管理サーバに送信するステップと、前記入場管理サーバが受信したユーザＩＤを認証するステップと、前記入場管理サーバが認証後に共通認証番号書き込み許可情報を前記会場入場ゲート装置に送信するステップと、共通認証番号書き込み許可情報を受信した前記会場入場ゲート装置が共通認証番号を前記ＩＣタグに書き込むステップと、前記会場入場ゲート装置が会場入場ゲートを開くステップと、前記入場管理サーバが共通認証番号書き込み許可情報送信後にユーザＩＤ対応の来場回数を取得するステップと、前記入場管理サーバが来場回数に応じた入場料金を取得するステップと、取得した入場料金の決済を外部金融機関サーバに依頼するステップと、ユーザＩＤ対応に来場日時と来場回数をユーザ別来場履歴として登録するステップと、ユーザの設備入場時に、前記設備利用認証装置が前記ＩＣタグから共通認証番号を読み取るステップと、前記設備利用認証装置が共通認証番号の認証を行うステップと、共通認証番号が認証された場合に前記設備利用認証装置が設備入場ゲートを開くステップと、前記設備利用認証装置がユーザの利用日時と設備ＩＤを前記入場管理サーバに送信するステップと、前記入場管理サーバが前記設備利用認証装置から受信した利用日時を設備ＩＤ別に登録するステップとを有する。
【００２０】
本発明の第１のプログラムは、会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、をコンピュータに実現させる。
【００２１】
本発明の第２のプログラムは、会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、ユーザＩＤ認証後に入場料金の決済を外部金融機関サーバに依頼する機能、前記設備利用認証装置から受信した利用日時情報を設備ＩＤ別に登録する機能、をコンピュータに実現させる。
【００２２】
本発明の第３のプログラムは、会場入場ゲート装置および会場内の各設備に設けられた設備利用認証装置とネットワークを介して接続される入場管理サーバに適用されるプログラムであって、定期的に共通認証番号を生成し前記会場入場ゲート装置および前記設備利用認証装置に配信する機能、前記会場入場ゲート装置から受信したユーザＩＤを認証する機能、ユーザＩＤが認証された場合に共通認証番号の書き込み許可情報を前記会場入場ゲート装置に送信する機能、来場回数に応じた入場料金を予めデータベースに登録する機能、ユーザ毎の来場履歴情報を登録する機能、ユーザＩＤ認証後に前記来場履歴情報および前記データベースを参照し来場回数に応じた入場料金を取得する機能、取得した入場料金の決済を外部金融機関サーバに依頼する機能、前記設備利用認証装置から受信した利用日時情報を設備ＩＤ別に登録する機能、をコンピュータに実現させる。
【発明の効果】
【００２３】
本発明は、ＩＣタグのユーザＩＤで会場への入場の認証を行うとともに、入場後の各設備利用時には全ての入場ユーザに共通な共通認証番号を使用するようにしている。このため、会場内においてユーザは各設備を利用できるが、誰がどの設備を利用したかということはわからないようになっている。すなわち、ユーザのプライバシーが守られた状態でユーザの設備利用が可能になるという効果がある。
【００２４】
また、本発明は、ＩＣタグ１０を利用した非接触の自動開閉ゲートを利用するように構成しているため、会場や各設備入場時にユーザが待たされることなくスムーズに入場できるという効果がある。
【発明を実施するための最良の形態】
【００２５】
本発明を実施するための最良の形態について図面を参照して詳細に説明する。
【００２６】
まず、詳細な説明に入る前に、本実施の形態で用いられる会場，設備の用語の定義について説明する。会場とはイベント等が行われる場所のことであり、設備とは会場内に設けられた施設，ブース，装置，遊具等を意味している。会場には複数の設備が備えられている。なお、本発明の対象となる会場は、会場入場時に入場料を支払えば会場内の全ての設備への入場が無料で許可されるタイプのものである。なお、会場と設備の例としては以下のようなものを想定しているが、これらに限定されず、上記の定義や対象に合うものであれば他の会場，設備であってもよい。
・進学相談会場（会場）と、学校別ブース（設備）
・コンサルタント会場（会場）と、分野別（法律、税金、不動産等）のブース（設備）
・会員制リゾートクラブ（会場）と、プール，スポーツジム，図書館等（設備）
・遊園地やテーマパーク（会場）と、遊具，装置，イベント施設等（設備）
・博物館，美術館，水族館，展示会場（会場）と、会場内の各エリア（設備）
なお、本発明においては、会場入場時の認証を受けず不正に会場に侵入した人に各設備が利用されないようにするため、会場入場時だけでなく各設備入場時にも認証を行うようにしている。
【００２７】
次に、本発明の一実施の形態について説明する。
【００２８】
図１は、本発明の一実施の形態の構成を示す図であり、ＩＣタグ１０と、会場入場ゲート装置２０と、入場管理サーバ３０と、設備利用認証装置４０と、金融機関サーバ５０とを備えている。会場入場ゲート装置２０，設備利用認証装置４０と入場管理サーバ３０とはＬＡＮ(Local Area Network)等のネットワーク１００を介して接続され、入場管理サーバ３０と金融機関サーバ５０はインターネット等のネットワーク２００を介して接続されている。
【００２９】
ＩＣタグ１０は、ＲＦＩＤ（Radio Frequency Identification）等の非接触型無線ＩＣタグであり、ユーザに携帯される。このＩＣタグ１０は、読み取り，書き込み可能な図示しない二つのメモリ（第１のメモリ、第２のメモリ）を内蔵している。第１のメモリには、ユーザ情報登録時に付与されたユーザＩＤ（ユーザを一意に識別可能な番号等）が予め書き込まれている。第２のメモリには、会場入場時に会場入場ゲート装置２０から共通認証番号が書き込まれる。なお、このＩＣタグ１０はユーザ情報登録を行ったユーザに対して配布されるものであり、イベント業者によりユーザＩＤがＩＣタグ１０の第１のメモリに書き込まれた後にユーザに配布される。
【００３０】
会場入場ゲート装置２０は、会場の入口部分に備えられ、制御部２１と、非接触ＩＣリーダライタ２２と、共通認証番号記憶部２３と、会場ゲート部２４とを含んでいる。制御部２１は、例えばＣＰＵ（Central Processing Unit）等の制御装置であり、プログラムにより動作を制御される。非接触ＩＣリーダライタ２２は、ＩＣタグ１０に記録されたユーザＩＤを非接触で読み取る機能と、ＩＣタグ１０に共通認証番号を非接触で書き込む機能とを備えている。共通認証番号記憶部２３は、入場管理サーバ３０から受信した共通認証番号を記憶する記憶装置であり、共通認証番号を受信する度に、前回受信時に記憶した共通認証番号を消去し今回受信した共通認証番号を登録する。なお、この共通認証番号とは、会場内の各設備に入場するときに認証情報として用いられるものであり、会場に入場した全てのユーザおよび全ての設備に共通に設定される。会場ゲート部２４は、制御部２１から指示されて入場用のゲートを開閉する会場ゲートと、図示しない表示部とを備えている。この会場ゲート自体の構造等については本発明の主旨とするところではないため詳細な説明は省略するが、例えば、駅の改札装置のゲートや入退室用フラッパーゲートのようなものである。
【００３１】
入場管理サーバ３０は、制御部３１と、記憶装置３２とを備えている。
【００３２】
制御部３１は、例えばＣＰＵ等の制御装置であり、プログラムにより動作を制御される。この制御部３１の有する機能の概要を以下に示す。
・定期的に共通認証番号を生成し、会場入場ゲート装置２０および設備利用認証装置４０に配信する機能。
・ＩＣタグ１０に記録されたユーザＩＤを基にユーザ認証を行う機能。
・ユーザ認証後、ＩＣタグ１０への共通認証番号の書き込みを会場入場ゲート装置２０に指示する機能。
・ユーザ毎の来場履歴情報を登録する機能。
・ユーザ来場時にユーザの過去の来場回数を検索し、来場回数に応じた入場料金を設定する機能。
・入場料金の決済を金融機関サーバ５０に依頼する機能。
・各設備利用認証装置４０から受信した設備入場情報を設備別に登録する機能。
【００３３】
記憶装置３２は読み出し，書き込み可能な記憶装置である。この記憶装置３２は、ユーザ情報データベース３２１と、ユーザ別来場履歴データベース３２２と、来場回数別入場料金データベース３２３と、金融機関情報データベース３２４と、設備別利用情報データベース３２５とを含んでいる。
【００３４】
ユーザ情報データベース３２１には、ユーザＩＤ，ユーザ名，住所，電話番号，メールアドレス，決済情報（銀行口座番号等）等が対応付けられて登録されている。このユーザ情報は、会場の利用に先立ってユーザが事前に登録しておくものである。登録方法としては、例えば、ユーザ端末からイベント運営業者のウェブサイトにアクセスし必要事項を入力して会員登録してもよいし、会場受付で受付担当者を介して登録するようにしてもよい。なお、ユーザＩＤはユーザを一意に識別可能なもの（例えば、数字やアルファベットの組合せ等により）であり、会員登録時に会員毎に付与される。ユーザ別来場履歴データベース３２２には、各ユーザの来場履歴（来場回数と来場日時）が登録される。来場回数別入場料金データベース３２３には、過去の来場回数に対応する今回の入場料金が予め登録されている。この入場料金は、来場回数が多いほど割り引きされるようになっている。金融機関情報データベース３２４には、各金融機関において決済処理を行う金融機関サーバ５０のアドレスが予め登録されている。設備別利用情報データベース３２５には、設備ＩＤ，設備名が予め登録されており、設備利用認証装置４０から利用日時情報，設備ＩＤを受信したときに、設備ＩＤ対応に利用日時情報が入場管理サーバ３０により登録される。
【００３５】
設備利用認証装置４０は、各設備の入口部分に備えられ、制御部４１と、非接触ＩＣリーダ４２と、共通認証番号記憶部４３と、設備ゲート部４４とを含んでいる。制御部４１は、例えばＣＰＵ等の制御装置であり、プログラムにより動作を制御される。非接触ＩＣリーダ４２は、ＩＣタグ１０に記録された共通認証番号を非接触で読み取る機能を備えている。共通認証番号記憶部４３は、入場管理サーバ３０から受信した共通認証番号を記憶する記憶装置であり、共通認証番号を受信する度に、前回受信時に記憶した共通認証番号を消去し今回受信した共通認証番号を登録する。設備ゲート部４４は、制御部２１から指示されて入場用のゲートを開閉する設備ゲートと、図示しない表示部とを備えている。この設備ゲート自体の構造等については本発明の主旨とするところではないため詳細な説明は省略するが、例えば、駅の改札装置のゲートのようなものである。
【００３６】
金融機関サーバ５０は、銀行等の各金融機関において決済処理を行うサーバであり、入場管理サーバ３０からの依頼により各ユーザの入場料金の決済を行う機能を備えている。
【００３７】
次に、本発明の一実施の形態の動作について図面を参照して詳細に説明する。
【００３８】
最初に、共通認証番号の生成，配信時の動作について図１および図２を参照して説明する。図２は、本発明の一実施の形態における共通認証番号の生成，配信時の動作を示すフローチャートである。なお、この共通認証番号とは、会場内の各設備に入場するときに認証情報として用いられるものであり、会場に入場した全てのユーザおよび全ての設備に共通に設定されるものである。
【００３９】
図２を参照すると、入場管理サーバ３０の制御部３１は、予め設定された時刻（例えば、会場の利用開始時刻の一時間前等）になったかを図示しない時計部を参照して判断する（ステップＡ１）。設定された時刻になった場合は、制御部３１は共通認証番号を生成する。この共通認証番号の生成に当たっては、乱数表等による数字やアルファベットの組合せで生成してもよいし、年月日情報を基に生成する等、種々の方法が考えられるが、毎日異なる番号が生成されるのであれば方法は問わない。このように、共通認証番号を毎日変更するのは、例えば、共通認証番号を記録したＩＣタグ１０を拾得した人が、別の日に何らかの方法で入場管理サーバ３０を通らずに不正に会場に侵入し、各設備を利用するのを防止するためである（ステップＡ２）。
【００４０】
次に、制御部３１は、生成した共通認証番号を会場入場ゲート装置２０と会場内各設備の設備利用認証装置４０とに配信する（ステップＡ３）。会場入場ゲート装置２０の制御部２１は受信した共通認証番号を共通認証番号記憶部２３に、また、設備利用認証装置４０の制御部４１は受信した共通認証番号を共通認証番号記憶部４３に格納する。このとき、今回受信した共通認証番号が前回格納された共通認証番号に上書き更新されるため、共通認証番号記憶部２３，４３には常に最新の共通認証番号が格納されることになる（ステップＡ４，Ａ５）。
【００４１】
次に、ユーザ来場時の動作について図１および図３を参照して説明する。図３は、本発明の一実施の形態におけるユーザ来場時の動作を示すフローチャートである。
【００４２】
まず、ユーザが会場入場口に設置された会場入場ゲート装置２０の非接触ＩＣリーダライタ２２にＩＣタグ１０を近づけると、非接触ＩＣリーダライタ２２がＩＣタグ１０に無線でユーザＩＤの要求を行う（図３のステップＢ１）。要求を受けたＩＣタグ１０は、図示しない第１のメモリに予め記録されたユーザＩＤを非接触ＩＣリーダライタ２２に送信する（ステップＢ２）。会場入場ゲート装置２０の制御部２１は、非接触ＩＣリーダライタ２２が受信したユーザＩＤを入場管理サーバ３０に送信する（ステップＢ３）。
【００４３】
入場管理サーバ３０の制御部３１は、受信したユーザＩＤがユーザ情報データベース３２１に登録されているかを照合する（ステップＢ４）。ステップＢ４において、受信したユーザＩＤが登録されていなかった場合は、制御部３１は会場入場ゲート装置２０に認証エラーを通知する（ステップＢ５）。認証エラーを受信した会場入場ゲート装置２０の制御部２１は、会場ゲート部２４に備えられた図示しない表示部に認証エラーを表示し、ユーザは表示内容を確認する。なお、表示部は認証エラーであることを文字等で表示する液晶ディスプレーや、認証エラー表示用ランプ等、ユーザに対して認証エラーを伝えられるものであればよい（ステップＢ６）。
【００４４】
ステップＢ４において、受信したユーザＩＤが登録されていた場合は、制御部３１は共通認証番号書き込み許可情報を会場入場ゲート装置２０に送信する（ステップＢ７）。会場入場ゲート装置２０の制御部２１は、共通認証番号記憶部２３から共通認証番号を取得し、非接触ＩＣリーダライタ２２に書き込み情報として渡す。非接触ＩＣリーダライタ２２は、受け取った共通認証番号をＩＣタグ１０の図示しない第２のメモリに書き込むようＩＣタグ１０に要求し（ステップＢ８）、ＩＣタグ１０は第２のメモリに共通認証番号を記録する。このとき、第２のメモリに前回入場時の共通認証番号が記録されていた場合は、今回の共通認証番号が上書き更新される（ステップＢ９）。次に、ＩＣタグ１０は書き込み完了情報を非接触ＩＣリーダライタ２２に送信する（ステップＢ１０）。書き込み完了情報を非接触ＩＣリーダライタ２２を介して受信した会場入場ゲート装置２０の制御部２１は、会場ゲート部２４にゲートを開くよう指示する。会場ゲート部２４はゲートを一定時間開き、ＩＣタグ１０を携帯したユーザはその間に会場に入場する（ステップＢ１１）。
【００４５】
次に、入場管理サーバ３０の制御部３１は、ステップＢ７に続き、受信したユーザＩＤによりユーザ別来場履歴データベース３２２を検索し、ユーザＩＤ対応の来場回数を取得する（ステップＢ１２）。続いて、制御部３１は来場回数別入場料金データベース３２３を参照し、ステップＢ１２で取得した来場回数に対応する入場料金を取得する（ステップＢ１３）。そして、制御部３１は、ユーザ情報データベース３２１からユーザＩＤ対応の決済情報を取得するとともに、決済情報に含まれる金融機関名を基に金融機関情報データベース３２４から該当金融機関サーバ５０のアドレスを取得する。その後、制御部３１は金融機関サーバ５０にアクセスし、ユーザの決済情報と、ステップＢ１３で取得した入場料金情報と、図示しないメモリに予め保持されたイベント業者の振り込み先情報（銀行口座番号等）とを送信し、入場料金の決済を依頼する（ステップＢ１４）。金融機関サーバ５０は、依頼された入場料金の決済処理（例えば、ユーザの銀行口座からイベント業者の銀行口座への入場料金分の振り込み等）を行う（ステップＢ１５）。
【００４６】
最後に、入場管理サーバ３０の制御部３１は、現在日時情報を図示しない時計部から取得し、ユーザ別来場履歴データベース３２２の該当ユーザＩＤ対応に来場日時として登録する。また、制御部３１は、ユーザ別来場履歴データベース３２２のユーザＩＤ別来場回数記録エリアに登録されていた数字に新たに１を加算し、来場回数記録エリアに登録されていた数字を加算後の数字に置き換えて登録する。これにより、ユーザ別来場履歴データベース３２２には、来場毎の来場日時情報と、これまでの来場回数とがユーザＩＤ別に登録されることになる（ステップＢ１６）。
【００４７】
以上、本発明の一実施の形態におけるユーザ来場時の動作について説明したが、ステップＢ１２〜ステップＢ１５の入場料金の決済処理に関する部分を含まないようにしてもよい。また、ステップＢ１２とステップＢ１３の処理のみを省き、ユーザの来場回数に関係なく全ユーザに一律の入場料金で決済するようにしてもよい。この場合は、来場回数別入場料金データベース３２３の代わりに、一律入場料金を予め記憶した一律入場料金記憶部を入場管理サーバ３０に備える。
【００４８】
次に、ユーザが会場に入場した後、会場内の各設備を利用するときの動作について図１および図４を参照して説明する。図４は、本発明の一実施の形態における設備利用時の動作を示すフローチャートである。
【００４９】
図４を参照すると、まず、ユーザが各設備入口に設けられた設備利用認証装置４０の非接触ＩＣリーダ４２にＩＣタグ１０を近づけると、非接触ＩＣリーダ４２がＩＣタグ１０に共通認証番号の要求情報を無線で送信する（ステップＣ１）。要求を受けたＩＣタグ１０は、図示しない第２のメモリに記録された共通認証番号を非接触ＩＣリーダ４２に送信する（ステップＣ２）。
【００５０】
設備利用認証装置４０の制御部４１は、非接触ＩＣリーダ４２がＩＣタグ１０から読み取った共通認証番号の有効性を確認する。詳細には、ＩＣタグ１０から読み取った共通認証番号と、共通認証番号記憶部４３に記憶されている共通認証番号が同じであるかを制御部４１が照合することにより、有効性を判定する（ステップＣ３）。ステップＣ３における照合の結果、共通認証番号が同じでなかった場合には、制御部４１は受信した共通認証番号を無効と判断し、認証エラーであることを設備ゲート部４４の図示しない表示部に表示する。ユーザは表示内容を確認する。なお、表示部は認証エラーであることを文字等で表示する液晶ディスプレーや、認証エラー表示用ランプ等、ユーザに対して認証エラーを伝えられるものであればよい（ステップＣ４）。
【００５１】
ステップＣ３における照合の結果、共通認証番号が同じであった場合には、制御部４１は受信した共通認証番号を有効と判断し、設備ゲート部４４にゲートを開くよう指示する。設備ゲート部４４はゲートを一定時間開き、ＩＣタグ１０を携帯したユーザはその間に設備に入場する（ステップＣ５）。次に、制御部４１は、利用日時情報（現在日時）を図示しない時計部から取得し、図示しないメモリに予め保持された設備ＩＤとともに入場管理サーバ３０に送信する。ここで、設備ＩＤとは、設備利用認証装置４０が設置されている設備を一意に識別可能な、例えば設備番号等である（ステップＣ６）。入場管理サーバ３０の制御部３１は、受信した利用日時情報を受信した設備ＩＤ対応に設備別利用情報データベース３２５に登録する（ステップＣ７）。
【００５２】
以上、本発明の一実施の形態における設備利用時の動作について説明したが、ステップＣ６〜ステップＣ７の設備利用状況の登録に関する部分を含まないようにしてもよい。
【００５３】
以上説明した本発明の一実施の形態においては、下記に示す効果がある。
【００５４】
・ＩＣタグ１０のユーザＩＤで会場への入場の認証を行うとともに、入場後の各設備利用時には全ての入場ユーザに共通な共通認証番号を使用するようにしている。このため、会場内においてユーザは各設備を利用できるが、誰がどの設備を利用したかということはわからないようになっている。すなわち、ユーザのプライバシーが守られた状態でユーザの設備利用が可能になるという効果がある。
【００５５】
・ＩＣタグ１０を利用した非接触の自動開閉ゲートを利用するように構成しているため、会場や各設備入場時にユーザが待たされることなくスムーズに入場できるという効果がある。
【００５６】
・ユーザの携帯するＩＣタグ１０には個人情報が記録されていないため、ＩＣタグ１０を落としたりしても個人情報の漏洩を防止できるという効果がある。
【００５７】
・図３のステップＢ１２〜ステップＢ１５を含むシステムにおいては、会場入場時におけるＩＣタグ１０のユーザＩＤ読み取りにより、自動的に入場料金の決済が可能になるという更なる効果がある。また、ユーザの過去の来場回数に応じて入場料金を割り引くようにしているため、リピーターの獲得向上につながるという効果もある。
【００５８】
・図４のステップＣ６，Ｃ７を含むシステムにおいては、設備利用認証装置４０から各設備の利用状況を入場管理サーバ３０に登録しているため、ユーザのプライバシーが守られた状態で各設備の利用状況の把握が可能になるという更なる効果がある。
【００５９】
次に、本発明の他の実施の形態について説明する。
【００６０】
・一実施の形態においては、ＩＣタグ１０内のメモリは二つ（ユーザＩＤを記録する第１のメモリ、共通認証番号を記録する第２のメモリ）あったが、一つのメモリにしてもよい。この場合は、一つのメモリ内でユーザＩＤを記録するアドレス空間と共通認証番号を記録するアドレス空間とを分けて制御する。こうすることにより、ＩＣタグ１０内のメモリが一つにまとめられ、一実施の形態に比べてコストを抑えることができるという効果がある。
【００６１】
・一実施の形態においては、ＩＣタグ１０そのものをユーザが携帯するとして説明したが、ユーザがいつも携帯するようなものに取り付けた状態でＩＣタグ１０を携帯するようにしてもよい。例えば、携帯電話機，ＰＨＳ（Personal Handyphone System），ＰＤＡ（Personal Digital Assistance），ノートパソコン，腕時計等に取り付けることが考えられる。こうすることにより、ＩＣタグ１０を携帯しやすくなりユーザの利便性を高めることができるという効果がある。
【図面の簡単な説明】
【００６２】
【図１】本発明の一実施の形態の構成を示す図である。
【図２】本発明の一実施の形態における共通認証番号の生成，配信時の動作を示すフローチャートである。
【図３】本発明の一実施の形態におけるユーザ来場時の動作を示すフローチャートである。
【図４】本発明の一実施の形態における設備利用時の動作を示すフローチャートである。
【符号の説明】
【００６３】
１０    ＩＣタグ
２０    会場入場ゲート装置
２１    制御部
２２    非接触ＩＣリーダライタ
２３    共通認証番号記憶部
２４    会場ゲート部
３０    入場管理サーバ
３１    制御部
３２    記憶装置
３２１    ユーザ情報データベース
３２２    ユーザ別来場履歴データベース
３２３    来場回数別入場料金データベース
３２４    金融機関情報データベース
３２５    設備別利用情報データベース
４０    設備利用認証装置
４１    制御部
４２    非接触ＩＣリーダ
４３    共通認証番号記憶部
４４    設備ゲート部
５０    金融機関サーバ
１００，２００    ネットワーク
【図１】
2005346345.tif 000003
【図２】
2005346345.tif 000004
【図３】
2005346345.tif 000005
【図４】
2005346345.tif 000006